(57)【要約】【課題】コードリールの保持力を向上した電気掃除機を提供する。【解決手段】被ブレーキ部58を同軸状に備えた略円筒状のコードリールを掃除機本体内に回転可能に設ける。コードリールを電源コードの巻き取り方向に付勢するぜんまいばねを設ける。被ブレーキ部58をコードリールの回転方向に対して交差する方向から互いに対向して挟持するブレーキ装置48を設ける。ブレーキ装置48により、コードリールを、ぜんまいばねの付勢による電源コードの巻き取り方向への回転に対して保持することで、コードリールの保持力を向上できる。【選択図】図１
2010069213.tif 000002
【特許請求の範囲】
【請求項１】
電動送風機を収容した掃除機本体と、
被ブレーキ部を同軸状に備え、前記掃除機本体内に回転可能に設けられた略円筒状のコードリールと、
このコードリールの外周に巻回され、このコードリールの回転により前記掃除機本体に対して出し入れ可能な電源コードと、
前記コードリールを前記電源コードの巻き取り方向に付勢する付勢手段と、
前記被ブレーキ部を前記コードリールの回転方向に対して交差する方向から互いに対向して挟持することで、前記コードリールを、前記付勢手段の付勢による前記電源コードの巻き取り方向への回転に対して保持するブレーキ装置と
を具備したことを特徴とした電気掃除機。
【請求項２】
ブレーキ装置は、
被ブレーキ部の内周側と外周側とにそれぞれ位置するブレーキ体と、
これらブレーキ体を前記被ブレーキ部に対して接離する方向に沿ってそれぞれ移動可能に支持するとともに、コードリールに対して平行に回動可能なブレーキ軸支部とを備え、
前記被ブレーキ部の外周側と内周側とにそれぞれ位置し、前記コードリールへの電源コードの巻き取り方向へと互いの間隔が徐々に接近するように配置され、この巻き取り方向への前記ブレーキ軸支部の回動によって前記ブレーキ体を互いに前記被ブレーキ部へと接近させるように強制的にガイドすることで前記ブレーキ体により前記被ブレーキ部を挟持させるブレーキガイド部を具備している
ことを特徴とした請求項１記載の電気掃除機。
【請求項３】
コードリールは、水平方向に沿って回転するように配置されている
ことを特徴とした請求項１または２記載の電気掃除機。
【発明の詳細な説明】
【技術分野】
【０００１】
本発明は、外周に電源コードを巻回するコードリールを備えた電気掃除機に関する。
【背景技術】
【０００２】
従来、この種の電気掃除機は、本体ケース内の前側に集塵室が区画され、本体ケース内の後側に、電動送風機を収容した電動送風機室と、給電用の電源コードを外周に巻回したコードリールを回転可能に収容したコードリール室とがそれぞれ区画形成されている。コードリールは、電源コードの巻き取り方向へと、ぜんまいばねなどの付勢手段によって付勢されている。また、電源コードは、本体ケースの後部に開口したコード導出口から先端側が出し入れ可能に導出されている。さらに、コードリールの外方には、このコードリールの外周側に接触することでコードリールの回転を付勢手段の付勢に抗して保持可能なブレーキ装置が取り付けられている。このブレーキ装置は、電源コードを引き出した状態のままコードリールの回転を保持するとともに、本体ケースに設けられた巻き取りボタンの操作によってコードリールから離間されることで、このコードリールの保持を解除し、付勢手段の付勢によって回転するコードリールに電源コードが巻き取られるように構成されている(例えば、特許文献１参照。)。
【特許文献１】特開平５−５６８９３号公報(第２−３頁、図２および図４)
【発明の開示】
【発明が解決しようとする課題】
【０００３】
ところで、海外などで用いる電気掃除機では、掃除場所となる部屋の床面が比較的広いことから、電源コードの長さを長くとる必要がある。そのため、コードリールも大きくなり、かつ、付勢手段によるコードリールの付勢力も大きくなる。
【０００４】
このような場合、上述の構成では、ブレーキ装置によってコードリールの保持力を充分に得ることが容易でないという問題点を有している。
【０００５】
本発明は、このような点に鑑みなされたもので、コードリールの保持力を向上した電気掃除機を提供することを目的とする。
【課題を解決するための手段】
【０００６】
本発明は、被ブレーキ部を同軸状に備え、掃除機本体内に回転可能に設けられた略円筒状のコードリールと、このコードリールの外周に巻回され、このコードリールの回転により掃除機本体に対して出し入れ可能な電源コードと、コードリールを電源コードの巻き取り方向に付勢する付勢手段と、被ブレーキ部をコードリールの回転方向に対して交差する方向から互いに対向して挟持することで、コードリールを、付勢手段の付勢による電源コードの巻き取り方向への回転に対して保持するブレーキ装置とを具備したものである。
【発明の効果】
【０００７】
本発明によれば、コードリールの被ブレーキ部を、コードリールの回転方向に対して交差する方向から互いに対向してブレーキ装置により挟持することで、コードリールを、付勢手段の付勢による電源コードの巻き取り方向への回転に対して保持することにより、コードリールの保持力を向上できる。
【発明を実施するための最良の形態】
【０００８】
以下、本発明の第１の実施の形態の電気掃除機の構成を図１ないし図６を参照して説明する。
【０００９】
図５および図６において、11は電気掃除機を示し、この電気掃除機11は、被掃除面である床面上を走行可能な、いわゆるキャニスタ型の電気掃除機である。
【００１０】
そして、この電気掃除機11は、管部12と、この管部12が着脱可能に接続される掃除機本体13とを有している。
【００１１】
管部12は、掃除機本体13に接続される基端側に対して先端側が前方へ屈曲した接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１２】
手元操作部17には、把持部21がホース体16側へと突出して形成され、この把持部21には、操作用の設定ボタン22が複数配置されている。
【００１３】
また、掃除機本体13は、本体ケース24を備え、この本体ケース24は、上側が開放された下ケース25と、この下ケース25の上部後側を覆って取り付けられた上ケース26と、下ケース25の上部前側を開閉可能な蓋体27とを有している。そして、本体ケース24の内部には、電動送風機室31と、コードリール室32と、本体集塵室33とがそれぞれ区画されており、電動送風機室31内に電動送風機34が配置され、コードリール室32内にコードリール装置36が配置され、かつ、本体集塵室33内に、集塵袋である紙パック、あるいはサイクロン分離装置などの遠心分離装置である集塵装置、すなわち集塵カップなどの集塵部が着脱可能に配置されている。
【００１４】
下ケース25の両側部には、走行用の走行輪38，38が回転自在に軸支されている。
【００１５】
蓋体27は、本体集塵室33を開閉可能なものであり、上側に向けて本体吸込口39が開口形成されている。この本体吸込口39は、本体集塵室33に連通しており、管部12のホース体16の基端部が着脱可能に接続されるものである。
【００１６】
電動送風機室31は、下ケース25と上ケース26とにより覆われて本体ケース24内の後部に形成されており、電動送風機34からの排気風が、図示しない排気口を介して本体ケース24の外部へと排気可能となっている。
【００１７】
また、電動送風機34は、設定ボタン22で設定された所定の動作モードで動作することで管部12を介して空気とともに塵埃を吸い込むものである。そして、この電動送風機34は、前側を吸込側、後側を排気側として電動送風機室31内に配置されている。なお、この電動送風機34は、例えばカバー体などによって少なくとも一部が覆われていてもよい。
【００１８】
コードリール室32は、図３ないし図５などに示すように、電動送風機室31の下部である下ケース25に、下面41と、この下面41に一体に形成された区画壁部としての区画リブ42と、電動送風機室31との間に位置する隔壁としてのブレーキ装置取付板(ブレーキ装置取付部)である平面視略円形状の区画板43とによって平面視で略円形状に区画されている。そして、このコードリール室32は、本体ケース24の左右幅方向の略中央部に位置している。
【００１９】
区画リブ42は、平面視で円弧状に形成されたリブ本体42aと、このリブ本体42aの両端部から下ケース25の一側部へと略直線状に連続した連続部42b，42bとを備えている。
【００２０】
そして、コードリール装置36は、コードリール45と、このコードリール45に巻回された電源コード46と、コードリール45を電源コード46の巻き取り方向に付勢する付勢手段としてのぜんまいばね47と、コードリール45の回転を阻止可能なブレーキ装置48とを備え、コードリール室32に略水平状に配置されている。
【００２１】
コードリール45は、略円筒状の胴体部51と、この胴体部51の両端面からフランジ状に一体に突出した平面視円形状のリブ部としての側板部52，53とを備えた、略コイルボビン状に形成されており、回転軸55を介して本体ケース24の下ケース25に回転可能に軸支されている。したがって、このコードリール45は、水平方向に沿って回転するように、すなわち横置きに配置されている。
【００２２】
胴体部51は、外周面に電源コード46が巻回される部分である。また、この胴体部51の内部には、ぜんまいばね47を収容する収容部としてのぜんまい収容部56が配置されている。すなわち、このぜんまい収容部56は、コードリール45内の下側寄りに配置されている。このぜんまい収容部56は、扁平で中空な略円筒状に形成され、中央部に回転軸55が挿通されている。また、このぜんまい収容部56は、コードリール45と一体的に回転可能となっている。
【００２３】
ぜんまいばね47は、一端側が回転軸55に固定され、他端側がぜんまい収容部56に固定され、コードリール45を電源コード46の巻き取り方向へと付勢している。
【００２４】
下側の側板部52は、胴体部51よりも径寸法が大きく形成されている。
【００２５】
上側の側板部53は、下側の側板部52と略等しい径寸法を有している。また、この上側の側板部53には、ブレーキ装置48が接触する略円筒リブ状のブレーキディスク部としての接触部である被ブレーキ部58が同軸状に形成されて上方へと突出している。さらに、この上側の側板部53の被ブレーキ部58の内方には、略円筒状の接点収容部59が同心状に形成されている。
【００２６】
被ブレーキ部58は、胴体部51よりも若干径小に形成されている。
【００２７】
接点収容部59は、胴体部51の内部へと連続する筒状に形成されており、区画板43に開口形成された孔部60の周囲から下方に突出した軸受筒部61内に回転可能に挿入されているとともに、中央部に回転軸55が挿通されている。また、この接点収容部59の内部には、区画板43の略中央部に形成された軸受部である接点取付台62が挿入されており、この接点取付台62に、回転軸55の上端側が挿入されている。さらに、この接点収容部59の内部には、摺動接点63が配置されている。この摺動接点63は、接点収容部59側から上方へと突出した金属片である一方の接点すなわち接点端子64，65と、接点取付台62側に配置された金属環(スリップリング)である他方の接点すなわち摺動端子66，67とを備えており、これら接点端子64，65と摺動端子66，67とが互いに対向配置されている。
【００２８】
接点端子64，65は、導電性を有する部材により形成され、回転軸55の周囲にそれぞれ配置されている。
【００２９】
摺動端子66，67は、導電性を有する部材により形成されており、互いに同心状に配置されている。そして、摺動端子66に対して接点端子64の先端側が弾性的に圧接され、摺動端子67に対して接点端子65の先端側が弾性的に圧接されることによりこれら接点端子64，65と電気的および物理的に接続されている。また、これら摺動端子66，67は、電動送風機34およびこの電動送風機34の駆動を制御する図示しない制御手段である制御基板側と電気的に接続されている。
【００３０】
また、回転軸55は、胴体部51を回転可能に軸支しており、下端部が下ケース25に形成された保持受部69に保持されている。
【００３１】
電源コード46は、基端側が接点収容部59の接点端子64に電気的に接続されているとともに、先端側に、図示しないコンセントなどに接続されるプラグ部71が形成されている。また、この電源コード46は、例えば１０ｍ〜１２ｍ程度の長さに設定されている。
【００３２】
プラグ部71は、コードリール室32を区画する区画リブ42の後側の連続部42bに開口形成されて本体ケース24の外部に連通する四角形状のコード導出口73よりも大きい外形を有しており、このコード導出口73よりも後側に位置している。ここで、コード導出口73は、電源コード46の外形よりも大きく形成されている。したがって、このコード導出口73は、電源コード46を最大に巻き取った状態でプラグ部71が当接することでコードリール45の回転のストッパとなっており、プラグ部71が本体ケース24の内部に入り込んでしまわないように構成されている。
【００３３】
ぜんまいばね47は、一端側が回転軸55に固定され、他端側がぜんまい収容部56に固定され、コードリール45を電源コード46の巻き取り方向へと付勢している。
【００３４】
ブレーキ装置48は、ぜんまいばね47の付勢に対してコードリール45の電源コード46の巻き取り方向への回転を保持する、換言すれば、ぜんまいばね47の付勢によるコードリール45の電源コード46の巻き取り方向への回転を阻止するもので、図１および図２に示すように、ブレーキリンクであるブレーキ部75a，75bを被ブレーキ部58の両側に有している。また、このブレーキ装置48は、コードリール45の上側、すなわちぜんまいばね47と反対側で、かつ、摺動接点63側に位置している。
【００３５】
ブレーキ部75a(ブレーキ部75b)は、被ブレーキ部58の内周面側(外周面側)に外周面が接触するブレーキ体81a(ブレーキ体81b)を上下の位置で回転可能に軸支する軸支部すなわちブレーキホルダ部である軸支板部82a，82a(軸支板部82b，82b)および上方へとブレーキ部75b(ブレーキ部75a)側に傾斜状に突出する傾斜連結部83a(傾斜連結部83b)を有するブレーキ部本体84a(ブレーキ部本体84b)と、このブレーキ部本体84a(ブレーキ部本体84b)の上方で傾斜連結部83a(傾斜連結部83b)と連結されているとともにブレーキ部75b側(ブレーキ部75a側)と連結される連結部85a(連結部85b)と、この連結部85a(連結部85b)から上方へと突出する腕部86a(腕部86b)とを備えている。また、一方のブレーキ部75aと他方のブレーキ部75bとは、図２中の左右方向に互いに線対称に形成されている。すなわち、ブレーキ体81a，81bは、互いに対向するようにブレーキ部75a，75bに取り付けられている。
【００３６】
ブレーキ体81a(ブレーキ体81b)は、例えばゴム、あるいはエラストマなどの弾性部材により形成されたローラ体である。
【００３７】
軸支板部82a(軸支板部82b)は、互いに略平行に離間されており、ブレーキ体81a(ブレーキ体81b)の回転軸87a(回転軸87b)が挿通される軸支穴88a(軸支穴88b)がそれぞれ開口形成されている。
【００３８】
ここで、軸支穴88a(軸支穴88b)は、コードリール45の電源コード46の巻き取り方向側が、ブレーキ体81a(ブレーキ体81b)の回転軸87a(回転軸87b)と略等しい径寸法となっているとともに、コードリール45の電源コード46の引き出し方向側へと幅広に形成されている。したがって、コードリール45が電源コード46の巻き取り方向へと回動しようとすると、ブレーキ体81a(ブレーキ体81b)の回転軸87a(回転軸87b)が軸支穴88a(軸支穴88b)内で幅狭側へと移動してブレーキ体81a(ブレーキ体81b)の回転がロックされることで、ブレーキ体81a，81bによって被ブレーキ部58を内周側と外周側とから挟持してブレーキ装置48が作動するとともに、コードリール45が電源コード46の引き出し方向に回動する際には、ブレーキ体81a(ブレーキ体81b)の回転軸87a(回転軸87b)が軸支穴88a(軸支穴88b)内で幅広側へと移動することにより、ブレーキ体81a(ブレーキ体81b)の回転軸87a(回転軸87b)が回転自在となることで、ブレーキ装置48が作動しないように構成されている。
【００３９】
連結部85a，85bは、略水平方向に沿って形成され、互い違いに組み合わせられてブレーキ部75a，75bを互いに連結している。また、連結部85a(連結部85b)には、水平方向、すなわちブレーキ体81a(ブレーキ体81b)の軸方向に交差、例えば直交する方向に沿って軸穴91a(軸穴91b)が穿設されており、これら軸穴91a，91bに、ブレーキ部75a，75bを一括して回動可能に軸支してこれらブレーキ部75a，75bの回動中心となる金属製などの回動保持軸92が挿通されて一体的に固定されている。この回動保持軸92は、図示しないが、両端部が区画板43に回動可能に取り付けられている。このため、ブレーキ装置48は、区画板43に対して定位置に固定されている。
【００４０】
腕部86a(腕部86b)は、連結部85a(連結部85b)から上方へと突出しており、上端側に、上方に向かってブレーキ部75b(ブレーキ部75a)側へと徐々に傾斜した作用部である傾斜部94a(傾斜部94b)が形成されている。また、腕部86a，86b間には、これら腕部86a，86bを互いに離間する方向、すなわち図２中の左右方向へと付勢可能なブレーキ付勢手段としてのコイルばね95が取り付けられている。
【００４１】
傾斜部94a，94bは、図２(a)および図２(b)に示すように、上方に位置するブレーキ解除部97との接触により、コイルばね95の付勢に抗して互いに接近する方向へと移動する。このため、ブレーキ部75a，75bは、ブレーキ解除部97と傾斜部94a，94bとの接触により、回動保持軸92を中心としてブレーキ部本体84a，84b側が互いに離間する方向へと回動することで、ブレーキ体81a，81bが被ブレーキ部58から離間されるように構成されている。すなわち、ブレーキ体81a，81bの外周面である作用点から被ブレーキ部58へと作用するブレーキ装置48の保持力(制動力)は、回動保持軸92を支点として、力点となる傾斜部94a，94b(腕部86a，86b)を互いに接近させる方向へとブレーキ解除部97により外力を加えることで、強制的に解除することが可能となっている。
【００４２】
ブレーキ解除部97は、下方へと突出した解除腕部101，102を備えており、これら解除腕部101，102が、それぞれ腕部86a，86bの傾斜部94a，94bの外側に接触可能な位置に配置されている。また、このブレーキ解除部97は、例えば掃除機本体の本体ケースの上部に突出したコード巻取ボタン103(図６)に連結されている。さらに、このブレーキ解除部97は、図示しないガイド部により上下方向に移動可能にガイドされているとともに、コイルばねなどの図示しない解除部付勢手段により上方に向けて付勢されている。
【００４３】
解除腕部101，102は、互いの距離がブレーキ装置48の腕部86a，86bの傾斜部94a，94bの外側面間の最大距離よりも小さく設定されている。また、解除腕部101(解除腕部102)の下端側には、傾斜部94a(傾斜部94b)に対向する規制部としての規制面101a(規制面102a)が形成されている。このため、解除腕部101，102は、コード巻取ボタン103(図６)を解除部付勢手段による付勢に抗して下方へと押し込むことにより、規制面101a，101bが腕部86a，86bの傾斜部94a，94bに沿って接触することで、コイルばね95の付勢に抗して腕部86a，86bの傾斜部94a，94bを互いに接近させる方向へと移動(回動)させることが可能となっている。
【００４４】
コイルばね95は、腕部86a，86bを互いに接近させる方向へと移動させない状態では、付勢力が腕部86a，86bに作用しない状態、すなわち自然長となっている。
【００４５】
また、本体集塵室33は、図示しない連通孔を介して電動送風機34の吸込側と連通し、かつ、本体吸込口39を介して本体ケース24の外部と連通している。
【００４６】
次に、上記第１の実施の形態の動作を説明する。
【００４７】
掃除の際には、まず、作業者は、掃除機本体13の蓋体27を開き、本体集塵室33に集塵部を取り付け、蓋体27を閉じる。このとき、作業者は上側の本体吸込口39に、接続管部15を介してホース体16を連通接続し、このホース体16の先端側に、延長管18および床ブラシ19を順次連通接続する。
【００４８】
さらに、作業者は、掃除機本体13から電源コード46を引き出してプラグ部71を図示しないコンセントに接続する。
【００４９】
このとき、コードリール45が電源コード46の引き出し方向に回動すると、ブレーキ体81a，81bの外周面が被ブレーキ部58との接触によりコードリール45の回動に追従して、ブレーキ体81a，81bの回転軸87a，87bが軸支穴88a，88b内で幅広側へと移動することにより、ブレーキ体81a，81bの回転軸87a，87bが軸支板部82a，82bに対して回転自在となることでブレーキ装置48の保持力が作用せず、コードリール45が任意に回転する。この回転に伴い、ぜんまいばね47が巻き締められてコードリール45を電源コード46の巻き取り方向へと付勢する付勢力が増加する。
【００５０】
また、作業者が電源コード46の引き出しを停止すると、ぜんまいばね47の付勢により、コードリール45が電源コード46の巻き取り方向へと回動しようとする。すると、ブレーキ体81a，81bの外周面が被ブレーキ部58との接触によりコードリール45の回動に追従して、ブレーキ体81a，81bの回転軸87a，87bが軸支穴88a，88b内で幅狭側へと移動してブレーキ体81a，81bが互いに接近し、ブレーキ体81a，81bの回転がロックされてブレーキ装置48が作動する。この結果、図２(a)および図３(a)に示すように、被ブレーキ部58が、コードリール45の回転方向と交差、例えば直交する方向からブレーキ体81a，81bの外周面に圧接されてこれらブレーキ体81a，81bにより挟持され、すなわち、ブレーキ装置48による保持力が作用して、コードリール45がぜんまいばね47の付勢力によって電源コード46の巻き取り方向へと回動することが阻止される。
【００５１】
そして、作業者が、把持部21を把持して所定の設定ボタン22を操作すると、この設定ボタン22により設定された動作モードに応じて電動送風機34が駆動されるので、作業者は、把持部21を把持して床面上で床ブラシ19を前後に走行させることで、電動送風機34による負圧によって、床ブラシ19の先端側から塵埃を空気とともに吸い込む。
【００５２】
床ブラシ19から塵埃とともに吸い込まれた空気は吸込風となり、延長管18およびホース体16(接続管部15)を介して、塵埃を本体吸込口39から集塵部へと運び、集塵部にて塵埃が捕集される。
【００５３】
この後、吸込風は、電動送風機34へと吸い込まれ、この電動送風機34を通過して排気風となり、本体ケース24の排気口から掃除機本体13の外部へと廃棄される。
【００５４】
掃除が終了し、電気掃除機11を収納する際には、電動送風機34を停止させる。
【００５５】
この後、作業者が、電源コード46のプラグ部71をコンセントから取り外し、コード巻取ボタン103(図６)を操作すると、このコード巻取ボタン103に追従してブレーキ解除部97が下方へと移動し、このブレーキ解除部97の解除腕部101，102の規制面101a，102aがブレーキ装置48の腕部86a，86bの傾斜部94a，94bに接触する。さらに、コード巻取ボタン103を押し込み操作すると、図２(b)に示すように、ブレーキ装置48の腕部86a，86bの傾斜部94a，94bが、ブレーキ解除部97の解除腕部101，102の規制面101a，102aにガイドされることで、コイルばね95の付勢に抗して互いに接近する方向へと移動する。この結果、回動保持軸92を中心としてブレーキ部本体84a，84b側が互いに離間される方向へと回動し、ブレーキ体81a，81bが被ブレーキ部58から強制的に離間されることで、図２(b)および図３(b)に示すように、ブレーキ装置48によるコードリール45の回転の保持力が強制的に解除され、ぜんまいばね47の付勢によってコードリール45が電源コード46の巻き取り方向へと回転し、電源コード46が胴体部51の周囲へと巻き取られる。
【００５６】
また、集塵部に捕集した塵埃が所定量以上溜まった場合には、作業者は掃除機本体13の蓋体27を開く。そして、集塵部が紙パックなどである場合には、捕集した塵埃とともに集塵部を廃棄して、新たな集塵部を本体集塵室33に取り付けて蓋体27を閉じる。また、集塵部が集塵カップなどである場合には、捕集した塵埃のみを廃棄し、集塵部を再度本体集塵室33に取り付けて蓋体27を閉じる。
【００５７】
上述したように、上記第１の実施の形態によれば、コードリール45の被ブレーキ部58を、コードリール45の回転方向に対して交差(直交)する方向から互いに対向してブレーキ装置48のブレーキ体81a，81bにより挟持することで、コードリール45を、ぜんまいばね47の付勢による電源コード46の巻き取り方向への回転に対して保持することにより、例えば１つのブレーキ装置によってコードリールを保持する場合と比較して保持力が２倍となり、コードリール45の保持力を向上できる。
【００５８】
すなわち、例えば海外用の電気掃除機11などは、電源コード46の長さを国内用のものよりも長くする傾向にあり、このように長くした電源コード46を巻回するためには、コードリール45の径寸法を大きくする必要があり、したがって、このコードリール45を付勢するぜんまいばね47の付勢力も大きくする必要がある。このため、ブレーキ装置48を、被ブレーキ部58を対向位置から挟持するように構成することで、充分な保持力を得ることができ、電源コード46を長くした電気掃除機11であっても、ぜんまいばね47の付勢に抗してブレーキ装置48によりコードリール45を確実に保持(回り止め)できる。
【００５９】
また、コードリール45を水平方向に沿って回転するように配置することで、コードリール45の径寸法を大きくしても、掃除機本体13(本体ケース24)の大きさ(高さ)を必要以上に大きくすることなく、コードリール45を配置するコードリール室32のスペースを確保できる。
【００６０】
しかも、コードリール45の径寸法を大きくできるので、同じ長さの電源コード46を巻回する場合、コードリール45の胴体部51の幅寸法を相対的に小さくできるので、電源コード46を胴体部51の外周に対して均等に巻くために電源コード46の巻き取り位置を揺動させるための揺動装置などを設ける必要もなく、構成を簡略化できる。
【００６１】
さらに、比較的重量が大きいぜんまいばね47をコードリール45の下側に配置することにより、掃除機本体13の重心を低くすることができるとともに、コードリール45を安定して配置できる。
【００６２】
そして、ブレーキ装置48を、コードリール45に対してぜんまいばね47と反対側に配置することにより、ぜんまいばね47側の油などがブレーキ装置48のブレーキ体81a，81bに付着してブレーキ装置48の保持力が低下することを防止できる。
【００６３】
また、作業者による作業性を考慮すると、コード巻取ボタン103は掃除機本体13の上部に配置することが好ましい。このため、ブレーキ装置48をコードリール45の上側、すなわちコード巻取ボタン103と同側に配置することにより、ブレーキ装置をコードリールに対してコード巻取ボタン側と反対側に配置する場合と比較して、コード巻取ボタン103の操作力をブレーキ装置48へと伝達するためのブレーキ解除部97などの機構を簡略化できるとともに、大きい保持力を得ることができる。
【００６４】
次に、第２の実施の形態を図７および図８を参照して説明する。なお、上記第１の実施の形態と同様の構成および作用については、同一符号を付してその説明を省略する。
【００６５】
この第２の実施の形態は、上記第１の実施の形態のブレーキ装置48に代えて、ブレーキ装置111を備えるものである。
【００６６】
このブレーキ装置111は、略円筒状のブレーキ軸支部113と、このブレーキ軸支部113から側方に突出した突出部であるブレーキ突出腕部114と、このブレーキ突出腕部114に対して突出したブレーキ腕部115a，115bと、これらブレーキ腕部115a，115bに回転可能に軸支されたブレーキ体116a，116bとを備えている。
【００６７】
ブレーキ軸支部113内には、掃除機本体13側の軸受筒部61が挿通されている。このため、ブレーキ装置111は、軸受筒部61(被ブレーキ部58)の周方向、すなわちコードリール45に対して平行に回動可能となっている。また、ブレーキ軸支部113の外周には、ガイド受部121が周方向に沿って形成されており、このガイド受部121には、区画板43から突出したガイド規制部であるガイドボス122が挿入されている。
【００６８】
ブレーキ突出腕部114には、区画板43から突出したガイド規制部であるガイドボス124が挿入される長孔状のガイド穴125が穿設されている。すなわち、このガイド穴125は、ブレーキ軸支部113の周方向に沿って形成されている。
【００６９】
したがって、ブレーキ装置111は、ガイドボス122とガイド受部121、および、ガイドボス124とガイド穴125のそれぞれの嵌合により、回動角度が規制されている。
【００７０】
ブレーキ腕部115a(ブレーキ腕部115b)は、コードリール45の被ブレーキ部58の内周側(外周側)に位置するもので、ブレーキ突出腕部114に対して交差する方向で、かつ、コードリール45の電源コード46の巻き取り方向、すなわち図７中の反時計回り方向へと円弧状に湾曲して突出している。したがって、ブレーキ腕部115a，115b間には、コードリール45の被ブレーキ部58が嵌合する円弧状の嵌合溝部127が形成されている。また、ブレーキ腕部115a(ブレーキ腕部115b)の先端側には、ブレーキ体116a(ブレーキ体116b)の回転軸128a(回転軸128b)が挿通される長孔状の軸支穴129a(軸支穴129b)が穿設されている。これら軸支穴129a，129bは、被ブレーキ部58(ブレーキ軸支部113)の法線方向に沿って形成されている。したがって、ブレーキ体116a，116bは、軸支穴129a，129bに沿って移動可能、すなわち、被ブレーキ部58に対して接離する方向に沿って移動可能となっている。
【００７１】
ブレーキ体116a(ブレーキ体116b)は、例えばゴム、あるいはエラストマなどの弾性部材により形成されたローラ体である。また、ブレーキ体116a(ブレーキ体116b)は、外周面が、区画板43から突出したブレーキガイド部131a(ブレーキガイド部131b)の規制部であるブレーキ体規制面132a(ブレーキ体規制面132b)に接触可能となっている。
【００７２】
ここで、ブレーキガイド部131a，131bは、コードリール45の電源コード46の巻き取り方向へと、ブレーキ体規制面132a，132bが互いに接近するように傾斜して形成されている。換言すれば、ブレーキ体規制面132a，132bは、コードリール45の電源コード46の引き出し方向へと間隔が広くなるように形成されている。このため、ブレーキ体116a(ブレーキ体116b)は、ブレーキ装置111全体がコードリール45の巻き取り方向へと回動することで嵌合溝部127側へと移動して、被ブレーキ部58の内周面(外周面)に圧接されるように構成されている。
【００７３】
そして、ブレーキ装置111は、全体が図示しないブレーキ付勢手段により周方向であるコードリール45の電源コード46の巻き取り方向に向けて付勢されているとともに、コード巻取ボタン103の押圧に連動する図示しないブレーキ解除部を介して、ブレーキ付勢手段の付勢に抗して回動可能となっている。
【００７４】
次に、第２の実施の形態の動作を説明する。
【００７５】
掃除開始などの際に電源コード46を引き出す場合には、電源コード46の引き出しによってコードリール45が電源コード46の引き出し方向に回動すると、ブレーキ体116a，116bの外周面と被ブレーキ部58との接触により、ブレーキ装置111が、ブレーキ付勢手段の付勢に抗してコードリール45の回転方向に追従する。このため、図８に示すように、ブレーキ体116a，116bは、ブレーキ体規制面132a，132bの間隔が広い側へと移動するので、互いに離間されて被ブレーキ部58からそれぞれ離間され、すなわちブレーキ装置111が作動せず、コードリール45が任意に回転する。この回転に伴い、ぜんまいばね47が巻き締められてコードリール45を電源コード46の巻き取り方向へと付勢する付勢力が増加する。
【００７６】
また、作業者が電源コード46の引き出しを停止すると、ぜんまいばね47の付勢により、コードリール45が電源コード46の巻き取り方向へと回転しようとする。すると、ブレーキ体116a，116bの外周面と被ブレーキ部58との接触によりブレーキ装置111がコードリール45の回動に追従して回動する。この結果、ブレーキ体116a，116bがそれぞれブレーキガイド部131a，131bのブレーキ体規制面132a，132bに接触し、これらブレーキ体規制面132a，132bの間隔が狭い側へと移動するので、これらブレーキ体規制面132a，132bに沿って、次第に互いに接近する方向へと強制的に移動させられ、ブレーキ体116a，116bが被ブレーキ部58に圧接されてブレーキ装置111が作動する。この結果、図７に示すように、被ブレーキ部58がブレーキ体116a，116bにより挟持され、すなわち、ブレーキ装置111による保持力が作用して、コードリール45がぜんまいばね47の付勢力によって電源コード46の巻き取り方向へと回動することが阻止される。
【００７７】
さらに、掃除終了などの際に電源コード46を巻き取る場合には、コード巻取ボタン103を操作すると、ブレーキ装置111がコードリール45の電源コード46の引き出し方向、すなわち図７に示す時計回り方向へと回動する。このため、ブレーキ体116a，116bは、ブレーキ体規制面132a，132bの間隔が広い側へと移動するので、図８に示すように、互いに離間されて被ブレーキ部58からそれぞれ離間され、ブレーキ装置111によるコードリール45の回転の保持力が強制的に解除され、ぜんまいばね47の付勢によってコードリール45が電源コード46の巻き取り方向へと回転し、電源コード46が胴体部51の周囲へと巻き取られる。
【００７８】
このように、コードリール45の被ブレーキ部58を、コードリール45の回転方向に対して交差(直交)する方向から互いに対向してブレーキ装置111のブレーキ体116a，116bにより挟持するなど、上記第１の実施の形態と同様の構成を有することで、上記第１の実施の形態と同様の作用効果を奏することができる。
【００７９】
また、ブレーキ装置111は、ブレーキ軸支部113がコードリール45の回転方向に沿う方向(コードリール45に対して平行な方向)に回動する構成であり、電源コード46の巻き取り方向へのブレーキ軸支部113の回動によって、各ブレーキガイド部131a，131bによってブレーキ体116a，116bを互いに接近させるように強制的にガイドすることで被ブレーキ部58を挟持する構成であるので、コードリール45の軸方向、すなわち上下方向に突出する構成を抑制でき、上下方向のスペースを必要とせず、ブレーキ装置111の小型化および薄型化が可能になり、コードリール室32の省スペース化および掃除機本体13(本体ケース24)の一層の小型化・薄型化が可能になる。
【００８０】
なお、上記各実施の形態において、ブレーキ装置48，111は、それぞれ複数ずつ設けてもよい。
【００８１】
また、コードリール45は、水平方向に回転するように横置きにするものに限らず、縦置きにしてもよい。
【００８２】
さらに、ブレーキ装置は、被ブレーキ部58を対向位置から挟持するように構成すれば、上記構成に限定されるものではない。
【００８３】
そして、電気掃除機11としては、キャニスタ型に限らず、掃除機本体13の下部に床ブラシ19を接続するアップライト型、あるいは、掃除機本体13の前部に床ブラシ19を接続するハンディ型などでも、対応して用いることができる。
【図面の簡単な説明】
【００８４】
【図１】本発明の第１の実施の形態の電気掃除機のブレーキ装置を示す斜視図である。
【図２】(a)は同上ブレーキ装置によるコードリールの保持状態を示す側面図、(b)は同上ブレーキ装置の保持力を強制的に解除した状態を示す側面図である。
【図３】(a)は同上ブレーキ装置によるコードリールの保持状態を示す平面図、(b)は同上ブレーキ装置の保持力を強制的に解除した状態を示す平面図である。
【図４】同上コードリール近傍を示す縦断面図である。
【図５】同上掃除機本体を一部を切り欠いて示す側面図である。
【図６】同上電気掃除機の斜視図である。
【図７】本発明の第２の実施の形態のブレーキ装置によるコードリールの保持状態を示す平面図である。
【図８】同上ブレーキ装置の保持力を強制的に解除した状態を示す平面図である。
【符号の説明】
【００８５】
11    電気掃除機
13    掃除機本体
34    電動送風機
45    コードリール
46    電源コード
47    付勢手段としてのぜんまいばね
48，111    ブレーキ装置
58    被ブレーキ部
113   ブレーキ軸支部
116a，116b    ブレーキ体
131a，131b    ブレーキガイド部
【図１】
2010069213.tif 000003
【図２】
2010069213.tif 000004
【図３】
2010069213.tif 000005
【図４】
2010069213.tif 000006
【図５】
2010069213.tif 000007
【図６】
2010069213.tif 000008
【図７】
2010069213.tif 000009
【図８】
2010069213.tif 000010